(57)【特許請求の範囲】
【請求項１】
フイルム出入り口を光密に閉鎖する閉じ位置と開放する開き位置との間で回動自在に軸着され、切欠を有するＣ字型の係合部が端部に一体に設けられた遮光蓋と、前記切欠の外縁に設けられた段差部に落ち込んで前記遮光蓋の回動を閉じ位置で抑止するロックピンとからなる写真フイルムカートリッジと、この写真フイルムカートリッジが収納されるカートリッジ室と、前記係合部に挿入される駆動軸を回転させて、前記遮光蓋を前記開き位置から閉じ位置に回動させる遮光蓋閉鎖装置とを有するレンズ付きフイルムユニットにおいて、
前記駆動軸に前記切欠の少なくとも一部と当接する突出部を形成し、この駆動軸の回転中心と前記突出部との長さが、前記回転中心と前記ロックピンとの長さと同じか短くなるようにしたことを特徴とするレンズ付きフイルムユニット。
【発明の詳細な説明】
【０００１】
【発明の属する技術分野】
本発明は、フイルム出入り口に開閉可能な遮光蓋を有する写真フイルムカートリッジが内蔵されたレンズ付きフイルムユニットに関するものである。
【０００２】
【従来の技術】
当技術分野で提案され、例えば、雑誌「写真工業」（（株）写真工業出版社  1995年３月号  ｐ．27）にも記載された、写真フイルムを後端までカートリッジ本体に巻き込んでおき、フイルム出入り口の遮光に従来のテレンプ（密に植毛されたリボン）貼付に代えて、フイルム出入り口を開放する開き位置とフイルム出入り口を閉鎖して遮光する閉じ位置との間で回動自在のプラスチック製の遮光蓋が用いられる写真フイルムカートリッジが知られている。このような方式は、「Advanced Photo System 」などと呼ばれている。
【０００３】
このような写真フイルムカートリッジの遮光蓋の端部には、写真フイルムカートリッジの端面から露呈される切欠状の係合部が設けられており、この係合部にカメラ等に組み込まれた駆動軸が係合されて回動されることにより遮光蓋が開閉される。
【０００４】
ところで、上述した写真フイルムカートリッジは、内部に巻き取られている写真フイルムが特に現像前の状態などにおいて、不用意に遮光蓋を閉じ位置から開き位置に回動させると、写真フイルムが感光してしまう恐れがある。このように、遮光蓋を誤って閉じ位置から開き位置に回動させるなどの事故を防止するために、「Advanced Photo System 」対応の写真フイルムカートリッジは、図７に示すように、遮光蓋５２が閉じ位置にある時には、カートリッジ本体に一体に突設された弾性のあるロックピン５４が遮光蓋５２の係合部５３に形成された段差部５３ａに係合し（図中ｂ位置）、遮光蓋５２が不用意に開き位置方向に回動することを阻止する構造となっている。
【０００５】
そして、フイルム現像時やカメラ内でのフイルム送り出し時には、遮光蓋５２を回動させるための遮光蓋開閉装置の駆動軸５５が、切り欠き状の係合部５３に合致するように挿入される。この時、前記駆動軸５５は図７に示すように、カートリッジ本体のロックピン５４を段差部５３ａから外れるように湾曲（図中ａ位置）させるような形状になっているので、係合部５３に駆動軸５５が挿入されると、遮光蓋５２とロックピン５４との係合が解除され、駆動軸５５の回転により遮光蓋５２が開き位置に回動することが可能となる。
【０００６】
このような「Advanced Photo System 」の写真フイルムカートリッジは、従来の１３５写真フイルムパトローネ等と比較して小型，軽量であることから、カメラはもちろんのこと、一層の薄型化，軽量化が要求されるレンズ付きフイルムユニットにも用いることが提案されている。
【０００７】
上述したように、レンズ付きフイルムユニットに「Advanced Photo System 」の写真フイルムカートリッジを用いる場合には、レンズ付きフイルムユニットは写真フイルムカートリッジ内の写真フイルムを予め引き出しておき、撮影毎に写真フイルムカートリッジ内に巻き込んでいく構成であるため、写真フイルムカートリッジの取出し時に遮光蓋を閉じ位置まで一方向に回動できればよい。
【０００８】
また、この遮光蓋が閉じ位置にあるときに、遮光蓋の係合部に係合して遮光蓋を回動させる駆動軸は、前述したロックピンを段差部から外れるように湾曲させる必要はなく、遮光蓋の閉鎖後は写真フイルムカートリッジはカートリッジ室から取り出されるので、遮光蓋がロックピンで閉じ位置にロックされていても何ら問題はない。
【０００９】
【発明が解決しようとする課題】
上述したような、レンズ付きフイルムユニットのカートリッジ室から写真フイルムカートリッジを取り出す際に、遮光蓋を閉じ位置に回動させる閉鎖装置の駆動軸は、カメラに用いられる遮光蓋の開閉装置における従来の駆動軸のように、遮光蓋の閉じ位置においてカートリッジ本体のロックピンと遮光蓋との係合が解除されるような形状にすると、駆動軸の直径が大きくなり、それに伴い遮光蓋の閉鎖装置も大型化し、レンズ付きフイルムユニットの小型、軽量化の障害になる。
【００１０】
また、前述したように、レンズ付きフイルムユニットにおいては、カートリッジ室から写真フイルムカートリッジを取り出す際に、遮光蓋の閉じ位置においてカートリッジ本体のロックピンと遮光蓋との係合が解除されるようにしておく必要は全くなく、不必要な機能を持たせることは製造コストの上昇にもつながる。
【００１１】
本発明は、上記課題を解決するためのもので、フイルム出入り口に開閉自在な遮光蓋を有する写真フイルムカートリッジが内蔵され、小型、軽量でローコストに製造が可能なレンズ付きフイルムユニットを提供することを目的とする。
【００１２】
【課題を解決するための手段】
上記問題点を解決するために、本発明のレンズ付きフイルムユニットでは、遮光蓋を開き位置から閉じ位置に回動させる遮光蓋閉鎖装置の駆動軸に、遮光蓋の係合部に設けられた切欠の少なくとも一部と当接する突出部を形成し、この駆動軸の回転中心と突出部との長さが、前記回転中心とロックピンとの長さと同じか短くなるようにしたものである。
【００１３】
【発明の実施の形態】
以下、本発明を実施したレンズ付きフイルムユニットの一形態について説明する。まず最初に、本発明のレンズ付きフイルムユニットに内蔵される「Advanced Photo System 」の写真フイルムカートリッジの構成について説明する。図２に示すように、写真フイルムカートリッジ２は、写真フイルム３と、この写真フイルム３を光密に収納するカートリッジ本体４からなっている。カートリッジ本体４は遮光性の樹脂で成形された相互に係合する上ケース４ａと下ケース４ｂとで構成されている。カートリッジ本体４の中央部には、写真フイルム３の一端が係止されたスプール５が回動自在に軸着されている。
【００１４】
カートリッジ本体４の一端には、写真フイルム３が出入りするフイルム出入口６が設けられている。このフイルム出入口６には、カートリッジ本体４内を光密に保持する遮光蓋７が、フイルム出入口６を閉鎖する閉じ位置と開放する開き位置との間で回動自在に軸着される。遮光蓋７の端部には、図３に示すように、切欠８ａを有する係合部８が一体に設けられている。
【００１５】
この遮光蓋７の係合部８には、後ほど詳述する遮光蓋閉鎖装置３０の駆動軸３１が係合する。そして、駆動軸３１の回転により遮光蓋７が開き位置（図４（Ａ））と閉じ位置（図４（Ｂ））との間で回動する。また、カートリッジ本体４のフイルム出入口６付近には、図４（Ｂ）に示すように、遮光蓋７が閉じ位置にあるときに、係合部８の一部に設けられた段差部８ｂと係合し、遮光蓋７が開き位置方向に回動することを阻止してこの遮光蓋７を閉じ位置にロックするロックピン９が、上ケース４ａと一体に設けられている。
【００１６】
写真フイルム３には、１撮影コマ毎に２個の割合でパーフォレーション３ａが設けられ、また、一端がスプール５と係合している。このような構成により、写真フイルム３は、カートリッジ本体４内ではスプール５に巻き付けられて収納され、遮光蓋７を閉じ位置にすることによりフイルム出入口６は遮光蓋７で閉鎖され、カートリッジ本体４内は光密に保持される。また、ロックピン９が遮光蓋７の段差部８ｂと係合し、遮光蓋７が閉じ位置にロックされる。
【００１７】
また、遮光蓋７を開き位置に回動させてフイルム出入口６を開放し、スプール５を回転させることにより、写真フイルム３はフイルム出入口６からカートリッジ本体４の外部に繰り出される。なお、遮光蓋７を閉じ位置から開き位置に回動させるには、ロックピン９を湾曲させて遮光蓋７の段差部８ｂと係合を解除させることが可能な直径が大きい駆動軸等を係合部８に挿入し、開き位置方向に回動させる。
【００１８】
なお、レンズ付きフイルムユニットの場合には、予め全て引き出された写真フイルム３が、フイルム出入口６からカートリッジ本体４内に巻き上げられ、全量巻き上げ後に写真フイルムカートリッジが取り出されるので、フイルム出入口６から写真フイルム３が繰り出されることはない。
【００１９】
次に、上述したような写真フイルムカートリッジが内蔵される本発明のレンズ付きフイルムユニットの構成について説明する。図５は、本発明のレンズ付きフイルムユニットの外観斜視図であり、図６は、その本体基部の分解斜視図である。レンズ付きフイルムユニット１１は、予め写真フイルムカートリッジ２が装填され各種撮影機構が組み込まれたユニット本体１２と、このユニット本体１２を部分的に覆う外装紙１３とから構成されている。
【００２０】
ユニット本体１２の上面には一体成形のシャッタボタン１４，撮影枚数表示窓１５が、前面にはファインダ１６，撮影レンズ１７，ストロボ充電スイッチ１８，ストロボ発光部１９等が設けられている。外装紙１３は、裏面に接着剤が塗布されてユニット本体１２の中央部分に巻かれるように貼付され、撮影レンズ１７やファインダ１６，撮影枚数表示窓１５等を外部に露呈させる開口が形成されている。
【００２１】
ユニット本体１２は、ユニット本体１２の前面側を形成する前カバー２１と、背面側を形成する後カバー２２と、これら前カバー２１と後カバー２２との間に収められる本体基部２３（図６参照）、及び本体基部２３の前面側に組み付けられる周知の露光ユニット（図示せず）及びストロボユニット（図示せず）とから構成されている。
【００２２】
露光ユニットは、図示しないが従来のレンズ付きフイルムユニットと同様に、シャッタチャージ機構，フイルム巻止め機構，カウンタ送り機構，シャッタ駆動機構及びシャッタ羽根，撮影レンズ１７等を含む他、ファインダ１６を構成する対物レンズと接眼レンズとがユニット化されている。ストロボユニットは、図示しないがストロボ回路が設けられたプリント基板と、これに組み付けられたストロボ発光部１９とからなり、前カバー２１に設けられたストロボ充電スイッチ１８の押圧によってストロボ充電が行われ、シャッタレリーズにシンクロしてストロボ発光が行われる。
【００２３】
図６に示すように、本体基部２３の中央部には、前面側に組み付けられた露光ユニットから写真フイルム３までの間の撮影光路を遮光するアパーチャ２４が設けられている。このアパーチャ２４を挟む両側には、製造段階でカートリッジ本体６，写真フイルム３がロール状に巻かれたフイルムロール３ｂが各々収納される、カートリッジ室２５，フイルムロール室２６が一体に形成されている。
【００２４】
これらのカートリッジ室２５及びフイルムロール室２６内は、本体基部２３の背面側に後カバー２２が組み付けられ、後カバー２２に一体に形成されたカートリッジ室用の底蓋２２ａ（図５参照）と、フイルムロール室用の底蓋（図示せず）とが閉じられることにより、内部が光密に保持される。なお、底蓋２２ａは、後カバー２２に対して屈曲自在な薄肉部を介して連結されており、使用後のレンズ付きフイルムユニット１１から写真フイルムカートリッジ２を取り出す際に開放される。
【００２５】
カートリッジ室２５の上面２５ａには、巻上げダイヤル２７が回動自在に取り付けられ、その下面に一体に設けた巻上げ軸２８が写真フイルムカートリッジ２のスプール５の係合穴５ａに係合するようになっている。巻上げダイヤル２７は、シャッタボタン１４の押圧による１コマの撮影ごとに図中反時計方向に回動操作され、巻上げダイヤル２７にロックが掛かるまでのスプール５の回転によって、１コマ分の写真フイルム３がカートリッジ本体４に巻き込まれる。
【００２６】
また、この写真フイルム３の１コマ分の巻き上げによって、パーフォレーション３ａに係合された露光ユニットの二歯スプロケットが回動される。露光ユニットではこの二歯スプロケットの回動力を利用して、フイルム巻止め，シャッタチャージ，撮影枚数表示の更新等を行っている。そして、シャッタボタン１４の押圧による撮影と、巻上げダイヤル２７の回動操作とを繰り返すことによって、写真フイルム３の後端側（スプール５に係止された側）から先端側に向かって順次撮影が行われる。
【００２７】
カートリッジ室上面２５ａには巻上げダイヤル２７の他に、遮光蓋閉鎖装置３０を構成する駆動軸３１及び駆動機構である回動部材３２とバネ３３とが組み付けられる。回動部材３２は、開口３４に挿入されて遮光蓋７の係合部８に係合される駆動軸３１と、駆動軸３１の上部に一体に形成されてカートリッジ室２５の上面２５ａに配置される係止レバー３６と、バネ３３が組み付けられるバネ保持部３７とから構成されている。
【００２８】
バネ３３は回動部材３２を図中反時計方向（遮光蓋７の閉じ方向）に付勢するもので、このバネ３３の付勢による回動部材３２の反時計方向への回動によって、遮光蓋７は閉じ位置に回動される。
【００２９】
上記回動部材３２は、バネ３３の付勢に抗して遮光蓋７の開き位置に保持され、開き位置にある遮光蓋７の係合部８に駆動軸３１が係合される。そして、レンズ付きフイルムユニット１１の使用後に写真フイルムカートリッジ２を取り出す際に、回動部材３２の保持が解除されることによってバネ３３の付勢で遮光蓋７の閉じ方向に回動され、駆動軸３１に係合された遮光蓋７も閉じ位置に回動される。このように、回動部材３２を遮光蓋７の開き位置に保持するとともに、写真フイルムカートリッジ２を取り出す際に回動部材３２の保持を解除するのが、カートリッジ室２５とアパーチャ２４との間に上下方向でスライド自在に組み付けられた棒状の連結部材３８である。
【００３０】
連結部材３８は、カートリッジ室２５とアパーチャ２４との間に形成されたガイド溝３９に、上端部３８ａがカートリッジ室上面２５ａよりも突出された状態で爪部材によって保持される。そして、この上端部３８ａで回動部材３２の係止レバー３６をバネ３３の付勢に抗して押さえることにより、回動部材３２を遮光蓋７の開き位置に保持する。
【００３１】
また、回動部材３２を保持した状態の連結部材３８は、下端に形成された係合爪３８ｂがカートリッジ室２５の底面を覆う底蓋２２ａに一体に形成された爪部材（図示せず）に係止される。そして、レンズ付きフイルムユニット１１の使用後に写真フイルムカートリッジ２を取り出すために底蓋２２ａを開放すると、底蓋２２ａの爪部材に係止された連結部材３８が下方に向けてスライドされる。これにより、連結部材３８の上端部３８ａはカートリッジ室上面２５ａよりも下方に移動されるので、係止レバー３６の保持が外れて回動部材３２はバネ３３の付勢で図中反時計方向に回動される。このときに、駆動軸３１に係合された遮光蓋７も閉じ位置に回動される。
【００３２】
上記駆動軸３１は、図３に示すように、遮光蓋７の係合部８内に挿入される円形の軸部３１ａと、この軸部３１ａから突出した突出部３１ｂとからなり、回動部材３２が閉じ位置方向に回動することによって、遮光蓋７が閉じ位置に回動される。このような駆動軸３１の突出部３１ｂは、図１に示すように、遮光蓋７を閉じ位置に回動した時に、カートリッジ本体４のロックピン９と遮光蓋７の段差部８ｂとの係合を解除せずに、遮光蓋７が閉じ位置でロックピン９によりロックされた状態になるような形状に形成されている。
【００３３】
以上のような構成の作用について説明する。レンズ付きフイルムユニット１１は、シャッタボタン１４を押圧して１撮影コマ分の撮影を行い、巻上げダイヤル２７を回動させて写真フイルムカートリッジ２のスプール５を回動させ、撮影済みの写真フイルム３をカートリッジ本体４内に収納していく。
【００３４】
そして、全撮影コマの撮影が完了し、写真フイルム３が全てカートリッジ本体４内に巻き込まれると、写真フイルムカートリッジ２がユニット本体１２に収納されたまま、現像取扱店等にプリント依頼される。レンズ付きフイルムユニット１１は、現像、プリントに際して、先ずカートリッジ室２５から写真フイルムカートリッジ２を取り出す作業が行われる。
【００３５】
カートリッジ室２５から写真フイルムカートリッジ２を取り出すために、底蓋２２ａを開放すると、底蓋２２ａの爪部材に係止された連結部材３８が下方に向けてスライドされる。そして、連結部材３８の上端部３８ａはカートリッジ室上面２５ａよりも下方に移動されるので、係止レバー３６の保持が外れて回動部材３２はバネ３３の付勢で反時計方向に回動される。これにより、駆動軸３１に係合された遮光蓋７も閉じ位置に回動し、フイルム出入口６は遮光蓋７で閉鎖され、カートリッジ本体４内は光密に保持される。
【００３６】
この時、駆動軸３１の突出部３１ｂは、図１に示すように、遮光蓋７を閉じ位置に回動した時に、カートリッジ本体４のロックピン９と遮光蓋７の段差部８ｂとの係合を解除せずに、遮光蓋７が閉じ位置でロックピン９によりロックされた状態になるような形状に形成されているので、閉じ位置で駆動軸３１が係合部８に係合している状態においても、遮光蓋７は閉じ位置でロックされている。
【００３７】
このような駆動軸は、従来のような、遮光蓋を開き位置と閉じ位置の双方向に回動させる場合、図１中のＣで示す点線斜線のように、突出部の形状を、閉じ位置でロックピン９を湾曲させて遮光蓋７の段差部８ｂとの係合を解除させるように形成しなければならなかった。このため、従来の駆動軸の回転径は図１中のＤで示す一点鎖線のように大きくならざるを得なかった。
【００３８】
しかし、レンズ付きフイルムユニットにおいては、写真フイルムカートリッジの取り出し時に、遮光蓋を閉じ位置まで回動させるだけでよく、ロックピンと遮光蓋との係合を解除して遮光蓋を開き位置に回動させる機能は不要である。従って、本発明のレンズ付きフイルムユニット１１における遮光蓋閉鎖装置３０の駆動軸３１の回転径は、図１中のＥで示す実線のように従来の駆動軸よりも大幅に小径なので、遮光蓋閉鎖装置３０をコンパクトに構成することができ、レンズ付きフイルムユニット１１を小型、軽量にすることが可能になる。また、ロックピンと遮光蓋との係合を解除して遮光蓋を開き位置に回動させるという不必要な機能が省略でき、レンズ付きフイルムユニットの製造コストを低減させることが可能になる。
【００３９】
以上のようにして遮光蓋７が閉じ位置に回動された写真フイルムカートリッジ２は、カートリッジ室２５から取り出され、現像、プリント工程に送られ、処理される。
【００４０】
【発明の効果】
以上説明したように、本発明のレンズ付きフイルムユニットは、遮光蓋を開き位置から閉じ位置に回動させる遮光蓋閉鎖装置の駆動軸に、遮光蓋の係合部に設けられた切欠の少なくとも一部と当接する突出部を形成し、この駆動軸の回転中心と突出部との長さが、前記回転中心とロックピンとの長さと同じか短くなるようにしたので、フイルム出入り口に開閉自在な遮光蓋を有する写真フイルムカートリッジが内蔵され、小型、軽量でローコストに製造が可能なレンズ付きフイルムユニットを提供することが可能になる。
【図面の簡単な説明】
【図１】本発明を実施したレンズ付きフイルムユニットにおける、遮光蓋閉鎖装置の駆動軸と、写真フイルムカートリッジの遮光蓋の係合部との係合部を示す説明図である。
【図２】写真フイルムカートリッジの形状を示す斜視図である。
【図３】遮光蓋閉鎖装置の駆動軸と、写真フイルムカートリッジの遮光蓋の係合部とを示す斜視図である。
【図４】遮光蓋閉鎖装置の駆動軸と遮光蓋及びロックピンの動きを示す説明図である。
【図５】本発明を実施したレンズ付きフイルムユニットの外観斜視図である。
【図６】本発明を実施したレンズ付きフイルムユニットの本体基部と写真フイルムカートリッジを示す分解斜視図である。
【図７】従来の遮光蓋閉鎖装置の駆動軸と、写真フイルムカートリッジの遮光蓋の係合部との係合部を示す説明図である。
【符号の説明】
２  写真フイルムカートリッジ
４  カートリッジ本体
６  フイルム出入口
７  遮光蓋
８  係合部
８ａ  切欠部
８ｂ  段差部
９  ロックピン
３０  遮光蓋閉鎖装置
３１  駆動軸
３１ａ  軸部
３１ｂ  突出部
【図１】
0003668337.tif 000002
【図２】
0003668337.tif 000003
【図３】
0003668337.tif 000004
【図４】
0003668337.tif 000005
【図５】
0003668337.tif 000006
【図６】
0003668337.tif 000007
【図７】
0003668337.tif 000008